(57)【特許請求の範囲】
【請求項１】
周波数毎に伝送レートを要求するための複数のビットからなる伝送レート要求用信号を前記周波数毎に生成する生成手段と、
前記複数のビットのうちの上位ビットを送信する第１の周波数間隔が、前記複数のビットのうちの前記上位ビット以外の下位ビットを送信する第２の周波数間隔よりも長くなるように、前記上位ビットを送信する周波数及び前記下位ビットを送信する周波数を設定する制御手段と、
前記制御手段により設定した周波数を用いて、前記上位ビット及び前記下位ビットを送信する送信手段と、
を具備する送信装置。
【請求項２】
前記制御手段は、
通信相手との回線状況に応じて、前記第１の周波数間隔または前記第２の周波数間隔を可変にする
請求項１記載の送信装置。
【請求項３】
前記制御手段は、
前記上位ビットの送信のために設定する周波数を可変にすることにより、前記複数のビットの全てを送信する周波数を可変にする
請求項１記載の送信装置。
【請求項４】
前記送信手段は、
前記複数のビットの全てを送信する周波数を示す情報を通信相手に送信する
請求項３記載の送信装置。
【請求項５】
前記制御手段は、
特定の時刻において全周波数で前記複数のビットの全てを送信するように、前記上位ビットを送信する周波数及び前記下位ビットを送信する周波数を設定する
請求項１記載の送信装置。
【請求項６】
前記制御手段は、
通信開始時において全周波数で前記複数のビットの全てを送信するように、前記上位ビットを送信する周波数及び前記下位ビットを送信する周波数を設定する
請求項１記載の送信装置。
【請求項７】
前記制御手段は、
第１の情報よりも良好な通信品質が要求される第２の情報を送信する際に、全周波数で前記複数のビットの全てを送信するように、前記上位ビットを送信する周波数及び前記下位ビットを送信する周波数を設定する
請求項１記載の送信装置。
【請求項８】
複数のアンテナをさらに具備し、
前記制御手段は、
前記複数のアンテナのアンテナ毎に独立して前記上位ビットを送信する周波数及び前記下位ビットを送信する周波数を設定し、
前記送信手段は、
前記複数のアンテナのアンテナ毎に、前記制御手段により設定した周波数を用いて、前記上位ビット及び前記下位ビットを送信する
請求項１記載の送信装置。
【請求項９】
複数のアンテナをさらに具備し、
前記制御手段は、
前記複数のアンテナのアンテナ毎に独立して前記上位ビットを送信する周波数を設定することにより前記複数のビットの全てを送信する周波数を設定し、
前記送信手段は、
前記複数のアンテナのアンテナ毎に、前記制御手段により設定した周波数を用いて、前記上位ビット及び前記下位ビットを送信する
請求項１記載の送信装置。
【請求項１０】
前記制御手段は、
前記生成手段により前回生成した前記伝送レート要求用信号の最上位ビットに対して、前記生成手段により今回生成した前記伝送レート要求用信号の最上位ビットが変化した際に、前記複数のビットの全てを送信するように前記上位ビットを送信する周波数を設定する
請求項１記載の送信装置。
【請求項１１】
請求項１記載の送信装置を具備する通信端末装置。
【請求項１２】
請求項１１記載の通信端末装置より送信された前記伝送レート要求用信号を受信する基地局装置。
【請求項１３】
周波数毎に伝送レートを要求するための複数のビットからなる伝送レート要求用信号を前記周波数毎に生成するステップと、
前記複数のビットのうちの上位ビットを送信する第１の周波数間隔が、前記複数のビットのうちの前記上位ビット以外の下位ビットを送信する第２の周波数間隔よりも長くなるように、前記上位ビットを送信する周波数及び前記下位ビットを送信する周波数を設定するステップと、
前記設定した周波数を用いて、前記上位ビット及び前記下位ビットを送信するステップと、
を具備する送信方法。
【発明の詳細な説明】
【技術分野】
【０００１】
本発明は、伝送レート要求用信号を用いて伝送レートを要求する送信装置及び送信方法に関する。
【背景技術】
【０００２】
現在、３ＧＰＰ（3rd Generation Partnership Project）規格において、通信端末装置等の送信装置から基地局装置等の受信装置へ、伝送レートの設定を要求するための制御信号である伝送レート要求用信号（３ＧＰＰ規格では、ＣＱＩ（Channel Quality Indicator））を送信することが検討されている。受信装置は、受信したＣＱＩに応じて伝送レートを選択する。ＣＱＩは、複数のビットにより構成されている。
【０００３】
伝送レート要求用信号の従来の送信方法として、伝送レート要求用信号が送信される送信時刻が固定的に決められており、送信時刻になった場合には送信装置が伝送レート要求用信号の全ビットを送信する方法がある（例えば、非特許文献１）。
【先行技術文献】
【非特許文献】
【０００４】
【非特許文献１】3GPP TS25.212 V8.6.0(2009-09)
【発明の概要】
【発明が解決しようとする課題】
【０００５】
しかしながら、非特許文献１においては、常に伝送レート要求用信号の全ビットを送信するので、伝送レート要求用信号の情報量が多くなる。この結果、送信装置では、伝送レート要求用信号の送信のための消費電力が増大するという問題がある。さらに、伝送レート要求用信号の情報量が多くなることにより、伝送レート要求用信号が他の端末に与える干渉量がより大きくなるという問題がある。
【０００６】
そこで、伝送レート要求用信号の情報量を低減させるために、伝送レート要求用信号の送信間隔を長くすることが考えられる。しかしながら、回線状況は、時々刻々変動する。そのため、伝送レート要求用信号の送信間隔を長くすると、受信装置において伝送レート要求用信号を受信した時点の回線状況と、現時点の実際の回線状況との間に誤差が生じてしまう可能性がある。つまり、伝送レート要求用信号の精度が悪くなる可能性がある。この結果、受信装置が適切な伝送レートを選択できず、スループットが低下してしまうという問題がある。
【０００７】
このように、伝送レート要求用信号の情報量の低減とスループットとの間にはトレードオフの関係がある。
【０００８】
本発明の目的は、伝送レート要求用信号の上位ビットの送信周波数間隔を伝送レート要求用信号の下位ビットの送信周波数間隔よりも長くすることにより、スループットを低下させることなく、伝送レート要求用信号の情報量を低減することができるとともに、低消費電力にすることができる送信装置および送信方法を提供することである。
【課題を解決するための手段】
【０００９】
本発明の送信装置は、周波数毎に伝送レートを要求するための複数のビットからなる伝送レート要求用信号を前記周波数毎に生成する生成手段と、前記複数のビットのうちの上位ビットを送信する第１の周波数間隔が、前記複数のビットのうちの前記上位ビット以外の下位ビットを送信する第２の周波数間隔よりも長くなるように、前記上位ビットを送信する周波数及び前記下位ビットを送信する周波数を設定する制御手段と、前記制御手段により設定した周波数を用いて、前記上位ビット及び前記下位ビットを送信する送信手段と、を具備する構成を採る。
【００１０】
本発明の送信方法は、周波数毎に伝送レートを要求するための複数のビットからなる伝送レート要求用信号を前記周波数毎に生成するステップと、前記複数のビットのうちの上位ビットを送信する第１の周波数間隔が、前記複数のビットのうちの前記上位ビット以外の下位ビットを送信する第２の周波数間隔よりも長くなるように、前記上位ビットを送信する周波数及び前記下位ビットを送信する周波数を設定するステップと、前記設定した周波数を用いて、前記上位ビット及び前記下位ビットを送信するステップと、を具備するようにした。
【発明の効果】
【００１１】
本発明によれば、伝送レート要求用信号の上位ビットの送信周波数間隔を伝送レート要求用信号の下位ビットの送信周波数間隔よりも長くすることにより、スループットを低下させることなく、伝送レート要求用信号の情報量を低減することができるとともに、低消費電力にすることができる。
【図面の簡単な説明】
【００１２】
【図１】本発明の実施の形態１に係る送信装置の構成を示すブロック図
【図２】本発明の実施の形態１に係る受信装置の構成を示すブロック図
【図３】本発明の実施の形態１におけるサブキャリアグループを示す図
【図４】本発明の実施の形態１におけるＣＱＩの送信方法を示す図
【図５】本発明の実施の形態２に係る送信装置の構成を示すブロック図
【図６】本発明の実施の形態３に係る送信装置の構成を示すブロック図
【図７】本発明の実施の形態３におけるＣＱＩの送信方法１を示す図
【図８】本発明の実施の形態３におけるＣＱＩの送信方法２を示す図
【図９】本発明の実施の形態４に係る送信装置の構成を示すブロック図
【図１０】本発明の実施の形態４におけるＣＱＩの送信方法を示す図
【図１１】本発明の実施の形態５に係る送信装置の構成を示すブロック図
【図１２】本発明の実施の形態５におけるＣＱＩの送信方法を示す図
【図１３】本発明の実施の形態６に係る送信装置の構成を示すブロック図
【図１４】本発明の実施の形態６における２本のアンテナのうち一方のアンテナから送信されるＣＱＩの送信方法を示す図
【図１５】本発明の実施の形態６における２本のアンテナのうち他方のアンテナから送信されるＣＱＩの送信方法を示す図
【図１６】本発明の実施の形態７に係る送信装置の構成を示すブロック図
【図１７】本発明の実施の形態７におけるＣＱＩの送信方法を示す図
【発明を実施するための形態】
【００１３】
以下、本発明の実施の形態について、図面を参照して詳細に説明する。
【００１４】
（実施の形態１）
＜送信装置の構成＞
図１は、本発明の実施の形態１に係る送信装置１００の構成を示すブロック図である。送信装置１００は、例えば携帯電話等の通信端末装置に適用可能である。
【００１５】
符号化及び変調部１０１は、入力した送信信号に対して、符号化処理および変調処理を施す。符号化及び変調部１０１は、変調処理後の送信信号をＰ／Ｓ変換部１０６に出力する。
【００１６】
伝送レート要求用信号生成部１０２は、後述する回線品質推定部１１１から入力した送信装置１００の回線状況を示す回線品質の推定結果に応じて、伝送レートを要求するための制御信号であるＣＱＩを生成する。伝送レート要求用信号生成部１０２は、生成したＣＱＩをＳ／Ｐ変換部１０３に出力する。ここで、ＣＱＩは、サブキャリアグループ毎（周波数毎）の伝送レートを要求するための複数のビットからなる伝送レート要求用信号であり、サブキャリアグループ毎に生成される。
【００１７】
Ｓ／Ｐ変換部１０３は、伝送レート要求用信号生成部１０２から直列データ形式で入力したＣＱＩを並列データ形式に変換（シリアル／パラレル（Ｓ／Ｐ）変換）する。Ｓ／Ｐ変換部１０３は、並列データ形式に変換したＣＱＩを、上位ビットと下位ビットとに分離する。Ｓ／Ｐ変換部１０３は、ＣＱＩの上位ビットを上位ビット送信制御部１０４に出力し、ＣＱＩの下位ビットを下位ビット送信制御部１０５に出力する。
【００１８】
上位ビット送信制御部１０４は、Ｓ／Ｐ変換部１０３から入力したＣＱＩの上位ビットを送信するサブキャリアグループを決定する。この際、上位ビット送信制御部１０４は、ＣＱＩの上位ビットの送信周波数間隔を、後述する下位ビット送信制御部１０５で設定される、ＣＱＩの下位ビットの送信周波数間隔よりも長くなるように、上位ビットを送信するためのサブキャリアグループを設定する。上位ビット送信制御部１０４は、サブキャリアグループを設定した後に、ＣＱＩの上位ビットをＰ／Ｓ変換部１０６に出力する。上位ビット送信制御部１０４は、ＣＱＩの上位ビットの送信周波数間隔を固定または可変にする。なお、上位ビット及び下位ビットの送信周波数間隔を設定する方法については後述する。
【００１９】
下位ビット送信制御部１０５は、Ｓ／Ｐ変換部１０３から入力したＣＱＩの下位ビットを送信するサブキャリアグループを設定する。この際、下位ビット送信制御部１０５は、ＣＱＩの下位ビットの送信周波数間隔を、上位ビット送信制御部１０４で設定される、ＣＱＩの上位ビットの送信周波数間隔よりも短くなるように、下位ビットを送信するためのサブキャリアグループを設定する。下位ビット送信制御部１０５は、サブキャリアグループを設定した後に、ＣＱＩの下位ビットをＰ／Ｓ変換部１０６に出力する。
【００２０】
Ｐ／Ｓ変換部１０６は、上位ビット送信制御部１０４から並列に入力されるＣＱＩの上位ビット、または、下位ビット送信制御部１０５から並列に入力されるＣＱＩの下位ビットを直列に変換（パラレル／シリアル（Ｐ／Ｓ）変換）する。Ｐ／Ｓ変換部１０６は、符号化及び変調部１０１から入力した送信信号と、上位ビット送信制御部１０４から入力したＣＱＩの上位ビットまたは下位ビット送信制御部１０５から入力したＣＱＩの下位ビットとから成る１系統の信号を生成する。Ｐ／Ｓ変換部１０６は、生成した信号を送信部１０７に出力する。
【００２１】
送信部１０７は、Ｐ／Ｓ変換部１０６から入力した信号に対して送信処理を施し、送信処理後の信号をアンテナ１０８に出力する。
【００２２】
アンテナ１０８は、送信部１０７から入力した信号を送信する。これにより、上位ビット送信制御部１０４及び下位ビット送信制御部１０５でそれぞれ設定された送信周波数間隔に基づいて、ＣＱＩの上位ビットおよび下位ビットがそれぞれ送信される。
【００２３】
アンテナ１０９は、信号を受信し、受信した信号を受信部１１０に出力する。
【００２４】
受信部１１０は、アンテナ１０９から入力した信号に対して受信処理を施し、受信処理後の信号を回線品質推定部１１１に出力する。
【００２５】
回線品質推定部１１１は、受信部１１０から入力した信号を用いて回線品質を推定し、推定結果を伝送レート要求用信号生成部１０２に出力する。
【００２６】
＜受信装置の構成＞
図２は、本発明の実施の形態１における受信装置２００の構成を示すブロック図である。受信装置２００は、例えば基地局装置に適用可能である。
【００２７】
アンテナ２０１は、信号を受信し、受信した信号を伝送レート要求用信号受信部２０２に出力する。
【００２８】
伝送レート要求用信号受信部２０２は、アンテナ２０１から入力した信号に対して受信処理を施し、ＣＱＩの上位ビットまたは下位ビットを取得する。伝送レート要求用信号受信部２０２は、取得したＣＱＩの上位ビットまたは下位ビットを伝送レート要求用信号生成部２０３に出力する。
【００２９】
伝送レート要求用信号生成部２０３は、伝送レート要求用信号受信部２０２から入力したＣＱＩの上位ビットまたは下位ビットに基づいてＣＱＩを生成する。具体的には、伝送レート要求用信号生成部２０３は、ＣＱＩの下位ビットのみを取得したサブキャリアグループについては、取得したＣＱＩの下位ビットと、他のサブキャリアグループのＣＱＩの上位ビットとを用いてＣＱＩを生成する。伝送レート要求用信号生成部２０３は、生成したＣＱＩを伝送レート割り当て部２０５に出力する。なお、伝送レート要求用信号生成部２０３は、伝送レート要求用信号受信部２０２からＣＱＩの上位ビットと下位ビットとの双方が入力した際には、そのままＣＱＩとして伝送レート割り当て部２０５に出力する。
【００３０】
符号化及び変調部２０４は、入力した送信信号に対して、符号化処理および変調処理を施す。符号化及び変調部２０４は、変調処理後の送信信号を伝送レート割り当て部２０５に出力する。
【００３１】
伝送レート割り当て部２０５は、伝送レート要求用信号生成部２０３から入力したＣＱＩに基づいて、符号化及び変調部２０４から入力した送信信号に対して伝送レートを割り当てる。伝送レート割り当て部２０５は、伝送レートを割り当てた送信信号を送信部２０６に出力する。
【００３２】
送信部２０６は、伝送レート割り当て部２０５から入力した送信信号に対して送信処理を施し、送信処理後の送信信号をアンテナ２０７に出力する。
【００３３】
アンテナ２０７は、送信部２０６から入力した送信信号を送信する。これにより、送信装置１００がＣＱＩにより要求した伝送レートで送信信号が送信される。
【００３４】
＜ＣＱＩの送信方法＞
ＣＱＩの送信方法について、図３及び図４を用いて具体的に説明する。図３は、本発明の実施の形態１におけるサブキャリアグループを示す図である。図４は、本発明の実施の形態１におけるＣＱＩの送信方法を示す図である。
【００３５】
以下では、ＣＱＩのビット数を５ビットとする場合を例に説明する。この場合、Ｓ／Ｐ変換部１０３は、５ビットのＣＱＩのうち、上位３ビットを上位ビット送信制御部１０４に出力し、下位２ビットを下位ビット送信制御部１０５に出力する。また、以下では、ＣＱＩの値が大きくなるほど（または、ＣＱＩの値が小さくなるほど）、要求する伝送レートの値がより大きくなるものとする。例えば、ＣＱＩを構成するビット列「０００００」（または「１１１１１」）が最も低い伝送レートに対応し、ＣＱＩを構成するビット列「１１１１１」（または「０００００」）が最も高い伝送レートに対応する。つまり、「０００００」から「１１１１１」（または、「１１１１１」から「０００００」）は、最も低い伝送レートから昇順に対応付けられている。
【００３６】
下位ビット送信制御部１０５は、ＣＱＩの下位２ビットの送信サブキャリアグループ間隔ｎをｎ＝１に設定する。すなわち、下位ビット送信制御部１０５は、図３に示すグループ１、２、３、４、・・・を、ＣＱＩの下位２ビットを送信するサブキャリアグループとして設定する。
【００３７】
上位ビット送信制御部１０４は、ＣＱＩの上位２ビットの送信サブキャリアグループ間隔ｎをｎ＝４に設定する。すなわち、上位ビット送信制御部１０４は、図３に示すグループ１、５、９、・・・を、ＣＱＩの上位２ビットを送信するサブキャリアグループとして設定する。
【００３８】
また、上位ビット送信制御部１０４は、上位から３ビット目の送信サブキャリアグループ間隔ｎをｎ＝２に設定する。すなわち、上位ビット送信制御部１０４は、図３に示すグループ１、３、５、７、・・・を、ＣＱＩの上位から３ビット目を送信するサブキャリアグループとして設定する。
【００３９】
上記の結果、図３に示すグループ１、５、９、・・・では、ＣＱＩの上位ビットと下位ビットとの全ビットを送信する。また、図３に示すグループ３、７、・・・では、ＣＱＩの下位３ビットのみを送信する。また、図３に示すグループ２、４、６、８、１０、・・・では、ＣＱＩの下位２ビットのみを送信する。
【００４０】
具体的には、図４より、送信装置１００は、図３に示すグループ１では、ＣＱＩの全ビット「１１１１１」を送信する。また、送信装置１００は、図３に示すグループ５では、ＣＱＩの全ビット「１０００１」を送信する。一方、送信装置１００は、図３に示すグループ２では、下位２ビットのみを送信する。送信装置１００は、図３に示すグループ３では、下位３ビット「０００」のみを送信する。送信装置１００は、図３に示すグループ４では、下位２ビット「１１」のみを送信する。
【００４１】
＜受信装置におけるＣＱＩ生成方法＞
図４より、受信装置２００は、図３に示すグループ１及びグループ５については、ＣＱＩの全ビットを受信する。一方、受信装置２００は、図３に示すグループ２については、下位２ビットのみを受信するものの、伝送レート要求用信号生成部２０３は、受信し下位２ビット「０１」とグループ１の上位３ビット「１１１」とを用いて、ＣＱＩの全ビット「１１１０１」を生成することができる。また、受信装置２００は、図３に示すグループ３については、下位３ビットのみを受信するものの、伝送レート要求用信号生成部２０３は、受信した下位３ビット「０００」とグループ１の上位２ビット「１１」とを用いて、ＣＱＩの全ビット「１１０００」を生成することができる。受信装置２００は、図３に示すグループ４については、下位２ビットのみを受信するものの、伝送レート要求用信号生成部２０３は、受信した下位２ビット「１１」とグループ５の上位３ビット「１００」とを用いて、ＣＱＩの全ビット「１００１１」を生成することができる。
【００４２】
＜上位ビットよりも下位ビットの周波数間隔を短くする理由＞
ＣＱＩが示す値は、回線状況に応じて変化する。ＣＱＩを構成する複数のビットのうち上位ビットほど、表すことができる値は大きい。つまり、ＣＱＩの上位ビットが変化する方が、ＣＱＩの下位ビットが変化するよりも、ＣＱＩが示す値の変動量はより大きくなる。
【００４３】
従って、一般に、ＣＱＩでは、下位ビットから順に変化する可能性が高い。すなわち、ＣＱＩを表す複数のビットでは、回線状況の変動（回線変動）に応じて、下位ビットほど値が頻繁に変化しやすく、上位ビットほど値が変化しにくい。
【００４４】
つまり、送信装置１００は、値が変化しやすいＣＱＩの下位ビットを送信する送信周波数間隔に対して、値が変化しにくいＣＱＩの上位ビットを送信する送信周波数間隔を長くしても、受信装置に対して正確なＣＱＩを通知することができる。換言すると、送信装置１００は、ＣＱＩの下位ビットを送信する送信頻度に対して、ＣＱＩの上位ビットを送信する送信頻度を少なくしてもよい。
【００４５】
そこで、上位ビット送信制御部１０４は、ＣＱＩの上位ビットの送信周波数間隔をＣＱＩの下位ビットの送信周波数間隔よりも長くなるように設定する。換言すると、下位ビット送信制御部１０５は、ＣＱＩの下位ビットの送信周波数間隔を、ＣＱＩの上位ビットの送信周波数間隔よりも短くなるように設定する。
【００４６】
図３及び図４の場合には、ＣＱＩの下位２ビットは、隣接するサブキャリアグループ間隔で値が変化する可能性が高い。これに対して、ＣＱＩの上位３ビットは、隣接するサブキャリアグループ間隔で値が変化する可能性が低い。よって、ＣＱＩの上位３ビットの送信間隔が、ＣＱＩの下位２ビットの送信間隔よりも長くても（ＣＱＩの上位３ビットの送信頻度が、ＣＱＩの下位２ビットの送信頻度よりも少なくても）、受信装置２００では、各サブキャリアグループで用いるＣＱＩの精度は劣化しない。このため、スループットの低下は生じない。
【００４７】
＜従来との比較＞
例えば、サブキャリアグループ数を１００とし、ＣＱＩの全ビット数を５ビットとした場合、従来のように全サブキャリアグループについてＣＱＩの全ビットを送信する場合、ＣＱＩの送信ビット数は各時刻(シンボル)毎に５００ビット（５ビット×１００）必要となる。これに対して、本実施の形態では、ＣＱＩの送信ビット数は３００ビット（１２ビット×２５）ですむことになる。消費電力はＣＱＩの送信量に比例するため、本実施の形態では、ＣＱＩの送信に必要とする消費電力を、従来の３／５に低減することができる。また、他ユーザに与える干渉量は、本実施の形態では、従来例の３／５に低減することができる。
【００４８】
＜本実施の形態の効果＞
本実施の形態によれば、上位ビットを送信する周波数間隔を下位ビットを送信する周波数間隔よりも長くするので、スループットを低下させることなく、伝送レート要求用信号の情報量を低減することができるとともに、低消費電力にすることができる。
【００４９】
また、本実施の形態によれば、ＣＱＩのフォーマットを変更することなく、ＣＱＩの上位ビットおよび下位ビットの周波数間隔を制御するだけで、ＣＱＩの情報量を低減することができる。
【００５０】
（実施の形態２）
＜送信装置の構成＞
図５は、本発明の実施の形態２に係る送信装置５００の構成を示すブロック図である。送信装置５００は、例えば携帯電話等の通信端末装置に適用可能である。
【００５１】
図５に示す送信装置５００は、図１に示す実施の形態１に係る送信装置１００に対して、回線品質情報生成部５０１及び送信周波数間隔情報生成部５０３を追加し、上位ビット送信制御部１０４の代わりに上位ビット送信制御部５０２を有し、Ｐ／Ｓ変換部１０６の代わりにＰ／Ｓ変換部５０４を有する。なお、図５において、図１と同一構成である部分には同一の符号を付してその説明を省略する。また、本実施の形態において、受信装置の構成は図２と同一構成であるので、その説明を省略する。
【００５２】
符号化及び変調部１０１は、入力した送信信号に対して、符号化処理および変調処理を施す。符号化及び変調部１０１は、変調処理後の送信信号をＰ／Ｓ変換部５０４に出力する。
【００５３】
回線品質情報生成部５０１は、回線品質推定部１１１から入力した送信装置５００と受信装置２００との間の回線品質の推定結果に基づいて、回線変動速度を示す回線品質情報を生成する。回線品質情報生成部５０１は、生成した回線品質情報を上位ビット送信制御部５０２に出力する。ここで、回線変動速度は、例えば、回線品質の推定結果の変化量に基づいて算出される。
【００５４】
上位ビット送信制御部５０２は、ＣＱＩの送信時刻を決定する送信制御手段として機能する。上位ビット送信制御部５０２は、Ｓ／Ｐ変換部１０３から入力したＣＱＩの上位ビットの送信サブキャリアグループを設定する。この際、上位ビット送信制御部５０２は、ＣＱＩの上位ビットの送信周波数間隔を、下位ビット送信制御部１０５で設定される、ＣＱＩの下位ビットの送信周波数間隔よりも長くなるように、上位ビットを送信するためのサブキャリアグループを設定する。さらに、上位ビット送信制御部５０２は、回線品質情報生成部５０１から入力した回線品質情報により示される遅延分散（回線状況）に応じて、ＣＱＩの上位ビットの送信周波数間隔が可変になるように制御する。例えば、上位ビット送信制御部５０２は、遅延分散が大きいほど（周波数軸上の受信レベル変動が激しいほど）、ＣＱＩの上位ビットの送信周波数間隔が短くなるように、サブキャリアグループを設定する。
【００５５】
上位ビット送信制御部５０２は、サブキャリアグループを設定した後に、ＣＱＩの上位ビットをＰ／Ｓ変換部５０４に出力する。上位ビット送信制御部５０２は、設定したサブキャリアグループにより特定される送信周波数間隔を示す情報を、送信周波数間隔情報生成部５０３に出力する。
【００５６】
下位ビット送信制御部１０５は、Ｓ／Ｐ変換部１０３から入力したＣＱＩの下位ビットの送信サブキャリアグループを設定する。この際、下位ビット送信制御部１０５は、ＣＱＩの下位ビットの送信周波数間隔を、上位ビット送信制御部５０２で設定される、ＣＱＩの上位ビットの送信周波数間隔よりも短くなるように、下位ビットを送信するためのサブキャリアグループを設定する。下位ビット送信制御部１０５は、サブキャリアグループを設定した後に、ＣＱＩの下位ビットをＰ／Ｓ変換部５０４に出力する。
【００５７】
送信周波数間隔情報生成部５０３は、上位ビット送信制御部５０２から入力した送信周波数間隔を示す情報に基づいて、ＣＱＩの各送信時刻においてＣＱＩの上位ビットの送信周波数間隔を示す送信周波数間隔情報を生成する。送信周波数間隔情報生成部５０３は、生成した送信周波数間隔情報をＰ／Ｓ変換部５０４に出力する。
【００５８】
ＣＱＩの上位ビットの送信周波数間隔を可変にする場合、受信装置２００では、ＣＱＩの上位ビットが送信されている周波数間隔を特定する必要がある。従って、送信装置５００は、ＣＱＩの上位ビットが送信される時刻を受信装置２００において特定するための情報として、送信周波数間隔情報を送信する。
【００５９】
Ｐ／Ｓ変換部５０４は、符号化及び変調部１０１から入力した送信信号、ＣＱＩの上位ビットまたはＣＱＩの下位ビット及び送信周波数間隔情報生成部５０３から入力した送信周波数間隔情報で構成される１系統の信号を生成する。なお、Ｐ／Ｓ変換部５０４における他の構成及び動作は、上記の実施の形態１のＰ／Ｓ変換部１０６と同様であるので、その説明を省略する。
【００６０】
送信部１０７は、Ｐ／Ｓ変換部５０４から入力した信号に対して送信処理を施し、送信処理後の信号をアンテナ１０８に出力する。
【００６１】
＜ＣＱＩの送信方法＞
以下では、上記の実施の形態１と同様に、ＣＱＩのビット数を５ビットとし、５ビットのうち最上位から３ビットを上位ビットとし、最下位ビットから２ビットを下位ビットとする場合を例に説明する。
【００６２】
例えば、上位ビット送信制御部５０２は、回線品質情報生成部５０１から入力される回線品質情報に示される回線変動速度が予め設定された閾値以上の場合（回線変動速度が比較的速い場合）には、ＣＱＩの上位３ビットの送信サブキャリアグループ間隔ｎをｎ＝２に設定する。つまり、上位ビット送信制御部５０２は、ＣＱＩの上位３ビットの送信サブキャリアグループ間隔ｎを、ＣＱＩの下位２ビットの送信サブキャリアグループ間隔ｎの２倍になるように設定する。
【００６３】
一方、上位ビット送信制御部５０２は、遅延分散が予め設定された閾値未満の場合（遅延分散が比較的大きい場合）には、ＣＱＩの上位２ビットの送信サブキャリアグループ間隔ｎをｎ＝４に設定する。つまり、上位ビット送信制御部５０２は、ＣＱＩの上位２ビットの送信間隔を、ＣＱＩの下位２ビットの送信間隔の４倍になるように設定する。また、上位ビット送信制御部５０２は、比較的遅延分散が小さい場合は、例えばＣＱＩの上位２ビットの送信サブキャリアグループ間隔ｎをｎ＝８に設定する。つまり、上位ビット送信制御部５０２は、遅延分散が比較的大きい場合の２倍のサブキャリアグループ間隔に設定する。
【００６４】
ここで、遅延分散が大きいほど（サブキャリアグループ間の受信レベル変動が激しいほど）、ＣＱＩが頻繁に変化する可能性が高い。従って、この場合には、送信装置５００は、ＣＱＩの上位ビットの送信間隔をより短くして、ＣＱＩの送信頻度を増やす必要がある。一方、回線変動速度が遅いほど（回線変動が緩慢であるほど）、ＣＱＩが変化しにくくなる可能性が高い。この場合には、送信装置５００は、ＣＱＩの上位ビットの送信周波数間隔をより長くして送信頻度を減らす。この場合でも、受信装置２００は、正確なＣＱＩを用いて伝送レートを選択することができる。
【００６５】
＜本実施の形態の効果＞
本実施の形態によれば、遅延分散に応じて、ＣＱＩの上位ビットの送信周波数間隔を可変に設定する。これにより、上記の実施の形態１の効果に加えて、ＣＱＩの上位ビットを遅延分散に応じて必要な分だけ送信することができ、ＣＱＩの精度を劣化させることなくＣＱＩの情報量を実施の形態１よりもさらに低減することができる。
【００６６】
＜本実施の形態の変形例＞
本実施の形態において、回線状況として遅延分散を用いたが、本発明はこれに限らず、回線状況として遅延分散以外の任意の回線状況を示すパラメータを用いることができる。
【００６７】
（実施の形態３）
＜送信装置の構成＞
図６は、本発明の実施の形態３に係る送信装置６００の構成を示すブロック図である。送信装置６００は、例えば携帯電話等の通信端末装置に適用可能である。
【００６８】
図６に示す送信装置６００は、図１に示す実施の形態１に係る送信装置１００に対して、タイミング生成部６０１を追加し、上位ビット送信制御部１０４の代わりに上位ビット送信制御部６０２を有し、下位ビット送信制御部１０５の代わりに下位ビット送信制御部６０３を有する。なお、図６において、図１と同一構成である部分には同一の符号を付してその説明を省略する。また、本実施の形態において、受信装置の構成は図２と同一構成であるので、その説明を省略する。
【００６９】
タイミング生成部６０１は、ＣＱＩの上位ビット及び下位ビットを送信するタイミングを示すタイミング情報を生成する。タイミング生成部６０１は、生成したタイミング情報を上位ビット送信制御部６０２及び下位ビット送信制御部６０３に出力する。ここで、タイミング情報が示すタイミングは、ＣＱＩの全ビットを送信するタイミングである。ＣＱＩの全ビットを送信するタイミングは、例えば、通信開始時刻、または通信開始後の特定の時刻である。特定の時刻とは、例えば、マルチパスにより受信レベルの落ち込みが大きい時刻、つまり、ＣＱＩの値の変化が激しくなる時刻である。
【００７０】
上位ビット送信制御部６０２は、タイミング生成部６０１から入力したタイミング情報に示される時刻に基づいて、ＣＱＩの上位ビットの送信時刻を決定する。上位ビット送信制御部６０２は、決定した送信時刻においてＣＱＩの上位ビットをＰ／Ｓ変換部１０６に出力する。なお、上位ビット送信制御部６０２における他の構成及び動作は上記の実施の形態１の上位ビット送信制御部１０４と同様であるので、その説明を省略する。
【００７１】
下位ビット送信制御部６０３は、タイミング生成部６０１から入力したタイミング情報に示される時刻に基づいて、ＣＱＩの下位ビットの送信時刻を決定する。下位ビット送信制御部６０３は、決定した送信時刻においてＣＱＩの下位ビットをＰ／Ｓ変換部１０６に出力する。なお、下位ビット送信制御部６０３における他の構成及び動作は上記の実施の形態１の下位ビット送信制御部１０５と同様であるので、その説明を省略する。
【００７２】
Ｐ／Ｓ変換部１０６は、上位ビット送信制御部６０２から並列に入力されるＣＱＩの上位ビット、または、下位ビット送信制御部６０３から並列に入力されるＣＱＩの下位ビットを直列に変換する。なお、Ｐ／Ｓ変換部１０６における他の構成及び動作は上記の実施の形態１と同様であるので、その説明を省略する。
【００７３】
＜ＣＱＩの送信方法１：通信開始時刻にＣＱＩの全ビットを送信＞
図７は、本発明の実施の形態３におけるＣＱＩの送信方法１を示す図である。
【００７４】
上位ビット送信制御部６０２は、図７に示すように、少なくとも通信開始時刻ｔ１を、ＣＱＩの上位ビットの送信時刻として決定する。
【００７５】
下位ビット送信制御部６０３は、図７に示すように、少なくとも通信開始時刻ｔ１を、ＣＱＩの下位ビットの送信時刻として決定する。
【００７６】
つまり、送信装置６００は、タイミング生成部６０１から入力される情報に示される通信開始時刻ｔ１では、ＣＱＩの上位ビットと下記ビットとの全ビットを送信する。
【００７７】
＜ＣＱＩの送信方法２：通信開始後の特定の時刻にＣＱＩの全ビットを送信＞
図８は、本発明の実施の形態３におけるＣＱＩの送信方法２を示す図である。
【００７８】
上位ビット送信制御部６０２は、通信開始時刻ｔ１から時間間隔４ｍ（ただし、ｍ＞０）毎の時刻を、ＣＱＩの上位ビットの送信時刻として決定する。すなわち、上位ビット送信制御部６０２は、図８に示すように、時刻ｔ１、ｔ４、・・・を、ＣＱＩの上位ビットの送信時刻として決定する。
【００７９】
下位ビット送信制御部６０３は、通信開始時刻ｔ１から時間間隔ｍ毎の時刻を、ＣＱＩの下位ビットの送信時刻として決定する。すなわち、下位ビット送信制御部６０３は、図８に示すように、時刻ｔ１、ｔ２、ｔ３、ｔ４、ｔ５、・・・を、ＣＱＩの下位ビットの送信時刻として決定する。
【００８０】
つまり、送信装置６００は、タイミング生成部６０１から入力される情報に示される通信開始時刻ｔ１、ｔ４では、ＣＱＩの全ビットを送信する。
【００８１】
本実施の形態において、通信開始時刻にＣＱＩの全ビットを送信することが好ましい。その理由は、送信装置６００から送信されたＣＱＩに回線誤りが発生すると、受信装置２００は送信装置６００が要求する伝送レートとは異なる伝送レートを選択してしまう可能性がある。そこで、ＣＱＩの回線誤りによる伝送レートの選択誤りを回避するために、受信装置２００は、受信したＣＱＩを複数回平均する方法が考えられる。しかし、通信開始時には、受信装置２００におけるＣＱＩの受信サンプル数が少ない。特に、ＣＱＩの上位ビットの送信間隔は下位ビットの送信間隔より長く、ＣＱＩの上位ビットのサンプル数が少なくなるため、ＣＱＩを平均化することによる上記の効果が得られず、受信装置２００における伝送レートの選択を誤る確率が高くなる。
【００８２】
しかし、通信開始時刻においてＣＱＩの全ビットを送信することにより、受信装置２００ではＣＱＩの全ビットを受信することができるので、伝送レートの選択を誤る確率が高くなることを防ぐことができる。
【００８３】
＜本実施の形態の効果＞
本実施の形態によれば、上記の実施の形態１の効果に加えて、通信開始時刻等の特定の時刻にＣＱＩの全ビットを送信するので、スループットを低下させることなく、伝送レート要求用信号の情報量を低減することができるとともに、低消費電力にすることができる。
【００８４】
また、本実施の形態によれば、ＣＱＩのフォーマットを変更することなく、ＣＱＩの上位ビットおよび下位ビットの送信周波数間隔（送信頻度）を制御するだけで、ＣＱＩの情報量を低減することができる。
【００８５】
また、本実施の形態によれば、通信開始時刻にＣＱＩの全ビットを送信する場合には、通信開始時における伝送レートの選択を誤る確率を低くすることができる。
【００８６】
＜本実施の形態の変形例＞
本実施の形態において、通信開始時にＣＱＩの全ビットを送信したが、本発明はこれに限らず、通信開始時にＣＱＩの上位ビットのみを送信してもよい。
【００８７】
（実施の形態４）
＜送信装置の構成＞
図９は、本発明の実施の形態４に係る送信装置９００の構成を示すブロック図である。送信装置９００は、例えば携帯電話等の通信端末装置に適用可能である。
【００８８】
図９に示す送信装置９００は、図１に示す実施の形態１に係る送信装置１００に対して、サブキャリアグループ選択部９０１及びサブキャリアグループ選択制御情報生成部９０３を追加し、上位ビット送信制御部１０４の代わりに上位ビット送信制御部９０２を有し、Ｐ／Ｓ変換部１０６の代わりにＰ／Ｓ変換部９０４を有する。なお、図９において、図１と同一構成である部分には同一の符号を付してその説明を省略する。また、本実施の形態において、受信装置の構成は図２と同一構成であるので、その説明を省略する。
【００８９】
サブキャリアグループ選択部９０１は、ＣＱＩの全ビットを送信するサブキャリアグループを選択し、選択したサブキャリアグループを通知するための制御情報を上位ビット送信制御部９０２に出力する。例えば、サブキャリアグループ選択部９０１は、ＣＱＩの各送信時刻において、あらかじめ決めた順番でサブキャリアグループを順次選択する。
【００９０】
Ｓ／Ｐ変換部１０３は、ＣＱＩの上位ビットを上位ビット送信制御部９０２に出力し、ＣＱＩの下位ビットを下位ビット送信制御部１０５に出力する。なお、Ｓ／Ｐ変換部１０３における他の構成及び動作は上記の実施の形態１と同様であるので、その説明を省略する。
【００９１】
上位ビット送信制御部９０２は、サブキャリアグループ選択部９０１から入力した制御情報により、ＣＱＩの全ビットを送信するサブキャリアグループを設定する。上位ビット送信制御部９０２は、設定したサブキャリアグループにおいてＣＱＩの全ビットが送信されるように、ＣＱＩの上位ビットをＰ／Ｓ変換部９０４に出力する。上位ビット送信制御部９０２は、ＣＱＩの全ビットを送信するサブキャリアグループとして設定したサブキャリアグループを、サブキャリアグループ選択制御情報生成部９０３に出力する。なお、上位ビット送信制御部９０２における他の構成及び動作は上記の実施の形態１の上位ビット送信制御部１０４と同様であるので、その説明を省略する。
【００９２】
サブキャリアグループ選択制御情報生成部９０３は、上位ビット送信制御部９０２から入力したＣＱＩの全ビットを送信するサブキャリアグループに基づいて、ＣＱＩの全ビットを送信するサブキャリアグループの組み合わせを示す制御情報を生成する。サブキャリアグループ選択制御情報生成部９０３は、生成した制御情報をＰ／Ｓ変換部９０４に出力する。
【００９３】
Ｐ／Ｓ変換部９０４は、上位ビット送信制御部９０２から並列に入力されるＣＱＩの上位ビット、または、下位ビット送信制御部１０５から並列に入力されるＣＱＩの下位ビットを直列に変換（パラレル／シリアル（Ｐ／Ｓ）変換）する。Ｐ／Ｓ変換部９０４は、符号化及び変調部１０１から入力した送信信号と、サブキャリアグループ選択制御情報生成部９０３から入力した制御情報と、上位ビット送信制御部９０２から入力したＣＱＩの上位ビットまたは下位ビット送信制御部１０５から入力したＣＱＩの下位ビットとから成る１系統の信号を生成する。Ｐ／Ｓ変換部９０４は、生成した信号を送信部１０７に出力する。
【００９４】
送信部１０７は、Ｐ／Ｓ変換部９０４から入力した信号に対して送信処理を施し、送信処理後の信号をアンテナ１０８に出力する。
【００９５】
＜ＣＱＩの送信方法＞
図１０は、本発明の実施の形態４におけるＣＱＩの送信方法を示す図である。
【００９６】
例えば、図１０に示すように、所定の時間間隔ｍ毎に、ＣＱＩの全ビットを送信するサブキャリアグループを１グループずつシフトさせる。具体的には、サブキャリアグループ選択部９０１は、時刻ｔ１では、ＣＱＩの全ビットを送信するサブキャリアグループとしてグループ１、３、５を選択する。サブキャリアグループ選択部９０１は、時刻ｔ２では、時刻ｔ１で選択したサブキャリアグループを１グループシフトして、ＣＱＩの全ビットを送信するサブキャリアグループとしてグループ２、４、６を選択する。サブキャリアグループ選択部９０１は、時刻ｔ３では、時刻ｔ２で選択したサブキャリアグループを１グループシフトして、ＣＱＩの全ビットを送信するサブキャリアグループとしてグループ１、３、５を選択する。サブキャリアグループ選択部９０１は、以下同様にしてサブキャリアグループを選択する。
【００９７】
マルチパスにより受信レベルの落ち込みが大きいサブキャリアグループのＣＱＩは、前後のサブキャリアグループのＣＱＩとの差分が大きくなる場合がある。受信レベルの落ち込みが大きいサブキャリアグループが下位ビットのみを送信するサブキャリアグループである場合には、ＣＱＩの誤差が大きくなり、スループットの低下を招く恐れがある。しかし、本実施の形態によれば、ＣＱＩの全ビットを送信するサブキャリアグループを１サブキャリアグループずつシフトして選択するので、スループットの低下を防ぐことができる。
【００９８】
＜本実施の形態の効果＞
本実施の形態によれば、上記の実施の形態１の効果に加えて、ＣＱＩの全ビットを送信するサブキャリアグループを１サブキャリアグループずつシフトして選択するので、スループットの低下を防ぐことができる。
【００９９】
（実施の形態５）
図１１は、本発明の実施の形態５に係る送信装置１１００の構成を示すブロック図である。送信装置１１００は、例えば携帯電話等の通信端末装置に適用可能である。
【０１００】
図１１に示す送信装置１１００は、図１に示す実施の形態１に係る送信装置１００に対して、タイミング生成部１１０１、サブキャリアグループ選択部１１０２及びサブキャリアグループ選択制御情報生成部１１０５を追加し、上位ビット送信制御部１０４の代わりに上位ビット送信制御部１１０３を有し、下位ビット送信制御部１０５の代わりに下位ビット送信制御部１１０４を有し、Ｐ／Ｓ変換部１０６の代わりにＰ／Ｓ変換部１１０６を有する。なお、図１１において、図１と同一構成である部分には同一の符号を付してその説明を省略する。また、本実施の形態において、受信装置の構成は図２と同一構成であるので、その説明を省略する。
【０１０１】
タイミング生成部１１０１は、ＣＱＩの上位ビット及び下位ビットを送信するタイミングを示すタイミング情報を生成する。タイミング生成部１１０１は、生成したタイミング情報を上位ビット送信制御部１１０３及び下位ビット送信制御部１１０４に出力する。ここで、タイミング情報が示すタイミングは、ＣＱＩの全ビットを送信するタイミングである。ＣＱＩの全ビットを送信するタイミングは、例えば、他の情報（第１の情報）より良好な通信品質が要求される情報（第２の情報）を送信する特定の時刻である。他の情報より良好な通信品質が要求される情報とは、制御情報、再送情報、再送制御に使用するＡｃｋ／Ｎａｃｋ情報、ＭＢＭＳ(Multimedia Broadcast/Multicast Service)情報または誤り訂正符号としてターボ符号の用いた場合のシステマティックビット等である。
【０１０２】
サブキャリアグループ選択部１１０２は、ＣＱＩの全ビットを送信するサブキャリアグループを選択し、選択したサブキャリアグループを通知するための制御情報を上位ビット送信制御部１１０３に出力する。例えば、サブキャリアグループ選択部１１０２は、ＣＱＩの各送信時刻において、あらかじめ決めた順番でサブキャリアグループを順次選択する。
【０１０３】
Ｓ／Ｐ変換部１０３は、ＣＱＩの上位ビットを上位ビット送信制御部１１０３に出力し、ＣＱＩの下位ビットを下位ビット送信制御部１１０４に出力する。なお、Ｓ／Ｐ変換部１０３における他の構成及び動作は上記の実施の形態１と同様であるので、その説明を省略する。
【０１０４】
上位ビット送信制御部１１０３は、タイミング生成部１１０１から入力したタイミング情報に示される時刻に基づいて、ＣＱＩの上位ビットの送信時刻を決定する。上位ビット送信制御部１１０３は、サブキャリアグループ選択部１１０２から入力した制御情報により、ＣＱＩの全ビットを送信するサブキャリアグループを設定する。上位ビット送信制御部１１０３は、決定した送信時刻に、設定したサブキャリアグループにおいて全ビットが送信されるように、ＣＱＩの上位ビットをＰ／Ｓ変換部１１０６に出力する。上位ビット送信制御部１１０３は、ＣＱＩの全ビットを送信するサブキャリアグループとして設定したサブキャリアグループを、サブキャリアグループ選択制御情報生成部１１０５に出力する。なお、上位ビット送信制御部１１０３における他の構成及び動作は上記の実施の形態１の上位ビット送信制御部１０４と同様であるので、その説明を省略する。
【０１０５】
下位ビット送信制御部１１０４は、タイミング生成部１１０１から入力したタイミング情報に示される時刻に基づいて、ＣＱＩの下位ビットの送信時刻を決定する。下位ビット送信制御部１１０４は、決定した送信時刻においてＣＱＩの下位ビットをＰ／Ｓ変換部１１０６に出力する。なお、下位ビット送信制御部１１０４における他の構成及び動作は上記の実施の形態１の下位ビット送信制御部１０５と同様であるので、その説明を省略する。
【０１０６】
サブキャリアグループ選択制御情報生成部１１０５は、上位ビット送信制御部１１０３から入力したＣＱＩの全ビットを送信するサブキャリアグループに基づいて、ＣＱＩの全ビットを送信するサブキャリアグループの組み合わせを示す制御情報を生成する。サブキャリアグループ選択制御情報生成部１１０５は、生成した制御情報をＰ／Ｓ変換部１１０６に出力する。
【０１０７】
Ｐ／Ｓ変換部１１０６は、上位ビット送信制御部１１０３から並列に入力されるＣＱＩの上位ビット、または、下位ビット送信制御部１１０４から並列に入力されるＣＱＩの下位ビットを直列に変換する。Ｐ／Ｓ変換部１１０６は、符号化及び変調部１０１から入力した送信信号と、サブキャリアグループ選択制御情報生成部１１０５から入力した制御情報と、上位ビット送信制御部１１０３から入力したＣＱＩの上位ビットまたは下位ビット送信制御部１１０４から入力したＣＱＩの下位ビットとから成る１系統の信号を生成する。Ｐ／Ｓ変換部１１０６は、生成した信号を送信部１０７に出力する。
【０１０８】
送信部１０７は、Ｐ／Ｓ変換部１１０６から入力した信号に対して送信処理を施し、送信処理後の信号をアンテナ１０８に出力する。
【０１０９】
＜ＣＱＩの送信方法＞
図１２は、本発明の実施の形態５におけるＣＱＩの送信方法を示す図である。
【０１１０】
図１２に示すように、特定の時刻ｔ３においてはＣＱＩの全ビットを送信する。特定の時刻ｔ３は、例えば他の情報より良好な通信品質が要求される情報を送信する時刻である。他の情報より良好な通信品質が要求される情報とは、制御情報、再送情報、ＭＢＭＳ情報または誤り訂正符号としてターボ符号の用いた場合のシステマティックビット等である。なお、ＣＱＩのその他の送信方法は上記の実施の形態４と同様であるので、その説明を省略する。
【０１１１】
＜本実施の形態の効果＞
本実施の形態によれば、上記の実施の形態１の効果に加えて、特定の時刻についてはＣＱＩの全ビットを送信することにより、他の情報より良好な通信品質が要求される情報の通信品質を、ＣＱＩの送信量をほとんど増加させることなく、改善することができる。
【０１１２】
＜本実施の形態の変形例＞
本実施の形態において、ＣＱＩの全ビットを送信するサブキャリアグループを、所定の時間毎に１サブキャリアグループずつシフトさせたが、本発明はこれに限らず、ＣＱＩの全ビットを送信するサブキャリアグループを、所定の時間毎に２サブキャリアグループずつシフトさせてもよいし、任意のサブキャリアグループずつシフトさせることができる。
【０１１３】
（実施の形態６）
図１３は、本発明の実施の形態６に係る送信装置１３００の構成を示すブロック図である。送信装置１３００は、例えば携帯電話等の通信端末装置に適用可能である。
【０１１４】
符号化及び変調部１３０１は、入力した送信信号１に対して、符号化処理および変調処理を施す。符号化及び変調部１３０１は、変調処理後の送信信号１をＰ／Ｓ変換部１３０９に出力する。
【０１１５】
タイミング生成部１３０２は、ＣＱＩの上位ビットを送信するタイミングを示すタイミング情報を生成する。タイミング生成部１３０２は、生成したタイミング情報を上位ビット送信制御部１３０６及び下位ビット送信制御部１３０７に出力する。ここで、タイミング情報が示すタイミングは、ＣＱＩの全ビットを送信するタイミングである。ＣＱＩの全ビットを送信するタイミングは、例えば、通信開始時刻、または通信開始後の特定の時刻である。特定の時刻とは、例えば、マルチパスにより受信レベルの落ち込みが大きい時刻、つまり、ＣＱＩの値の変化が激しくなる時刻である。
【０１１６】
サブキャリアグループ選択部１３０３は、ＣＱＩの全ビットを送信するサブキャリアグループを選択し、選択したサブキャリアグループを通知するための制御情報を上位ビット送信制御部１３０６に出力する。例えば、サブキャリアグループ選択部１３０３は、ＣＱＩの各送信時刻において、あらかじめ決めた順番でサブキャリアグループを順次選択する。
【０１１７】
伝送レート要求用信号生成部１３０４は、図示しない回線品質推定部から入力した送信装置１３００の回線状況を示す回線品質の推定結果に応じて、伝送レートを要求するための制御信号であるＣＱＩを生成する。伝送レート要求用信号生成部１３０４は、生成したＣＱＩをＳ／Ｐ変換部１３０５に出力する。
【０１１８】
Ｓ／Ｐ変換部１３０５は、伝送レート要求用信号生成部１３０４から直列データ形式で入力したＣＱＩを並列データ形式に変換する。Ｓ／Ｐ変換部１３０５は、並列データ形式に変換したＣＱＩを、上位ビットと下位ビットとに分離する。Ｓ／Ｐ変換部１３０５は、ＣＱＩの上位ビットを上位ビット送信制御部１３０６に出力し、ＣＱＩの下位ビットを下位ビット送信制御部１３０７に出力する。
【０１１９】
上位ビット送信制御部１３０６は、ＣＱＩの送信時刻を決定する送信制御手段として機能する。上位ビット送信制御部１３０６は、Ｓ／Ｐ変換部１３０５から入力したＣＱＩの上位ビットの送信サブキャリアグループを設定する。この際、上位ビット送信制御部１３０６は、ＣＱＩの上位ビットの送信周波数間隔を、後述する下位ビット送信制御部１３０７で設定される、ＣＱＩの下位ビットの送信周波数間隔よりも長くなるように設定する。上位ビット送信制御部１３０６は、タイミング生成部１３０２から入力したタイミング情報に示される時刻に基づいて、ＣＱＩの上位ビットの送信時刻を決定する。さらに、上位ビット送信制御部１３０６は、サブキャリアグループ選択部１３０３から入力した制御情報により、ＣＱＩの全ビットを送信するサブキャリアグループを設定する。上位ビット送信制御部１３０６は、サブキャリアグループを設定した後、決定した送信時刻に、ＣＱＩの上位ビットをＰ／Ｓ変換部１３０９に出力する。上位ビット送信制御部１３０６は、ＣＱＩの全ビットを送信するサブキャリアグループとして設定したサブキャリアグループを、サブキャリアグループ選択制御情報生成部１３０８に出力する。上位ビット送信制御部１３０６は、上記の制御を上位ビット送信制御部１３２６とは独立して行う。
【０１２０】
下位ビット送信制御部１３０７は、Ｓ／Ｐ変換部１３０５から入力したＣＱＩの下位ビットの送信サブキャリアグループを設定する。この際、下位ビット送信制御部１３０７は、ＣＱＩの下位ビットの送信周波数間隔を、上位ビット送信制御部１３０６で設定される、ＣＱＩの上位ビットの送信周波数間隔よりも短くなるように、下位ビットを送信するためのサブキャリアグループを設定する。下位ビット送信制御部１３０７は、タイミング生成部１３０２から入力したタイミング情報に示される時刻に基づいて、ＣＱＩの下位ビットの送信時刻を決定する。下位ビット送信制御部１３０７は、サブキャリアグループを設定した後、決定した送信時刻に、ＣＱＩの下位ビットをＰ／Ｓ変換部１３０９に出力する。
【０１２１】
サブキャリアグループ選択制御情報生成部１３０８は、上位ビット送信制御部１３０６から入力したＣＱＩの全ビットを送信するサブキャリアグループに基づいて、ＣＱＩの全ビットを送信するサブキャリアグループの組み合わせを示す制御情報を生成する。サブキャリアグループ選択制御情報生成部１３０８は、生成した制御情報をＰ／Ｓ変換部１３０９に出力する。
【０１２２】
Ｐ／Ｓ変換部１３０９は、上位ビット送信制御部１３０６から並列に入力されるＣＱＩの上位ビット、または、下位ビット送信制御部１３０７から並列に入力されるＣＱＩの下位ビットを直列に変換する。Ｐ／Ｓ変換部１３０９は、符号化及び変調部１３０１から入力した送信信号と、サブキャリアグループ選択制御情報生成部１３０８から入力した制御情報と、上位ビット送信制御部１３０６から入力したＣＱＩの上位ビットまたは下位ビット送信制御部１３０７から入力したＣＱＩの下位ビットとから成る１系統の信号を生成する。Ｐ／Ｓ変換部１３０９は、生成した信号を送信部１３１０に出力する。
【０１２３】
送信部１３１０は、Ｐ／Ｓ変換部１３０９から入力した信号に対して送信処理を施し、送信処理後の信号をアンテナ１３１１に出力する。
【０１２４】
アンテナ１３１１は、送信部１３１０から入力した信号を送信する。これにより、上位ビット送信制御部１３０６及び下位ビット送信制御部１３０７でそれぞれ設定された送信周波数間隔に基づいて、ＣＱＩの上位ビットおよび下位ビットがそれぞれ送信される。
【０１２５】
符号化及び変調部１３２１は、入力した送信信号２に対して、符号化処理および変調処理を施す。符号化及び変調部１３２１は、変調処理後の送信信号２をＰ／Ｓ変換部１３２９に出力する。
【０１２６】
タイミング生成部１３２２は、ＣＱＩの上位ビットを送信するタイミングを示すタイミング情報を生成する。タイミング生成部１３２２は、生成したタイミング情報を上位ビット送信制御部１３２６及び下位ビット送信制御部１３２７に出力する。ここで、タイミング情報が示すタイミングは、ＣＱＩの全ビットを送信するタイミングである。ＣＱＩの全ビットを送信するタイミングは、例えば、通信開始時刻、または通信開始後の特定の時刻である。特定の時刻とは、例えば、回線変動速度が速い時刻、つまり、ＣＱＩの値の変化が激しくなる時刻である。
【０１２７】
サブキャリアグループ選択部１３２３は、ＣＱＩの全ビットを送信するサブキャリアグループを選択し、選択したサブキャリアグループを通知するための制御情報を上位ビット送信制御部１３２６に出力する。例えば、サブキャリアグループ選択部１３２３は、ＣＱＩの各送信時刻において、あらかじめ決めた順番でサブキャリアグループを順次選択する。
【０１２８】
伝送レート要求用信号生成部１３２４は、図示しない回線品質推定部から入力した送信装置１３００の回線状況を示す回線品質の推定結果に応じて、伝送レートを要求するための制御信号であるＣＱＩを生成する。伝送レート要求用信号生成部１３２４は、生成したＣＱＩをＳ／Ｐ変換部１３２５に出力する。
【０１２９】
Ｓ／Ｐ変換部１３２５は、伝送レート要求用信号生成部１３２４から直列データ形式で入力したＣＱＩを並列データ形式に変換する。Ｓ／Ｐ変換部１３２５は、並列データ形式に変換したＣＱＩを、上位ビットと下位ビットとに分離する。Ｓ／Ｐ変換部１３２５は、ＣＱＩの上位ビットを上位ビット送信制御部１３２６に出力し、ＣＱＩの下位ビットを下位ビット送信制御部１３２７に出力する。
【０１３０】
上位ビット送信制御部１３２６は、ＣＱＩの送信時刻を決定する送信制御手段として機能する。上位ビット送信制御部１３２６は、Ｓ／Ｐ変換部１３２５から入力したＣＱＩの上位ビットの送信サブキャリアグループを設定する。この際、上位ビット送信制御部１３２６は、ＣＱＩの上位ビットの送信周波数間隔を、後述する下位ビット送信制御部１３２７で設定される、ＣＱＩの下位ビットの送信周波数間隔よりも長くなるように、上位ビットを送信するサブキャリアグループを設定する。上位ビット送信制御部１３２６は、タイミング生成部１３２２から入力したタイミング情報に示される時刻に基づいて、ＣＱＩの上位ビットの送信時刻を決定する。さらに、上位ビット送信制御部１３２６は、サブキャリアグループ選択部１３２３から入力した制御情報により、ＣＱＩの全ビットを送信するサブキャリアグループを設定する。上位ビット送信制御部１３２６は、サブキャリアグループの設定の後、決定した送信時刻に、ＣＱＩの上位ビットをＰ／Ｓ変換部１３２９に出力する。上位ビット送信制御部１３２６は、ＣＱＩの全ビットを送信するサブキャリアグループとして決定したサブキャリアグループを、サブキャリアグループ選択制御情報生成部１３２８に出力する。上位ビット送信制御部１３２６は、上記の制御を上位ビット送信制御部１３０６とは独立して行う。
【０１３１】
下位ビット送信制御部１３２７は、Ｓ／Ｐ変換部１３２５から入力したＣＱＩの下位ビットの送信サブキャリアグループを設定する。この際、下位ビット送信制御部１３２７は、ＣＱＩの下位ビットの送信周波数間隔を、上位ビット送信制御部１３２６で設定される、ＣＱＩの上位ビットの送信周波数間隔よりも短くなるように、下位ビットを送信するためのサブキャリアグループを設定する。下位ビット送信制御部１３２７は、タイミング生成部１３２２から入力したタイミング情報に示される時刻に基づいて、ＣＱＩの下位ビットの送信時刻を決定する。下位ビット送信制御部１３２７は、サブキャリアグループを設定した後、決定した送信時刻に、ＣＱＩの下位ビットをＰ／Ｓ変換部１３２９に出力する。
【０１３２】
サブキャリアグループ選択制御情報生成部１３２８は、上位ビット送信制御部１３２６から入力したＣＱＩの全ビットを送信するサブキャリアグループに基づいて、ＣＱＩの全ビットを送信するサブキャリアグループの組み合わせを示す制御情報を生成する。サブキャリアグループ選択制御情報生成部１３２８は、生成した制御情報をＰ／Ｓ変換部１３２９に出力する。
【０１３３】
Ｐ／Ｓ変換部１３２９は、上位ビット送信制御部１３２６から並列に入力されるＣＱＩの上位ビット、または、下位ビット送信制御部１３２７から並列に入力されるＣＱＩの下位ビットを直列に変換する。Ｐ／Ｓ変換部１３２９は、符号化及び変調部１３２１から入力した送信信号と、サブキャリアグループ選択制御情報生成部１３２８から入力した制御情報と、上位ビット送信制御部１３２６から入力したＣＱＩの上位ビットまたは下位ビット送信制御部１３２７から入力したＣＱＩの下位ビットとから成る１系統の信号を生成する。Ｐ／Ｓ変換部１３２９は、生成した信号を送信部１３３０に出力する。
【０１３４】
送信部１３３０は、Ｐ／Ｓ変換部１３２９から入力した信号に対して送信処理を施し、送信処理後の信号をアンテナ１３３１に出力する。
【０１３５】
アンテナ１３３１は、送信部１３３０から入力した信号を送信する。これにより、上位ビット送信制御部１３２６及び下位ビット送信制御部１３２７でそれぞれ設定された送信周波数間隔に基づいて、ＣＱＩの上位ビットおよび下位ビットがそれぞれ送信される。
【０１３６】
＜ＣＱＩの送信方法＞
図１４は、２本のアンテナのうち一方のアンテナ１３１１から送信されるＣＱＩの送信方法を示す図である。図１５は、２本のアンテナのうち他方のアンテナ１３３１から送信されるＣＱＩの送信方法を示す図である。
【０１３７】
本実施の形態では、送信装置１３００は、通信方式としてＭＩＭＯ(Multi-Input Multi-Output)方式を用いた場合に、アンテナ毎に独立にＣＱＩの全ビットを送信するサブキャリアグループ間隔を設定する。
【０１３８】
上位ビット送信制御部１３０６と上位ビット送信制御部１３２６とは、ＣＱＩの全ビットを送信する周波数間隔を、互いに独立して制御する。例えば、アンテナ数が２本の場合、上位ビット送信制御部１３０６は、１本目のアンテナ１３１１から送信されるＣＱＩについて、図１４に示すようなＣＱＩの全ビットを送信するサブキャリアグループ間隔を設定する。また、上位ビット送信制御部１３２６は、２本目のアンテナ１３３１から送信されるＣＱＩについて、図１５に示すようなＣＱＩの全ビットを送信するサブキャリアグループ間隔を設定する。
【０１３９】
例えば、送信装置１３００は、時刻ｔ１に送信されるＣＱＩにおいて、アンテナ１３１１からはグループ２、４、６、８、・・・でＣＱＩの全ビットを送信し、アンテナ１３３１からはグループ１、４、７、・・・でＣＱＩの全ビットを送信する。このように、送信装置１３００は、アンテナ１３１１から送信されるＣＱＩの方がアンテナ１３３１から送信されるＣＱＩよりも、ＣＱＩの全ビットを送信するサブキャリアグループ間隔を短くする。
【０１４０】
＜本実施の形態の効果＞
本実施の形態によれば、上記の実施の形態１の効果に加えて、ＭＩＭＯ方式において、アンテナ毎に独立にＣＱＩの全ビットを送信するサブキャリアグループ間隔を設定することにより、他の情報より良好な通信品質が要求される情報の通信品質を、ＣＱＩの送信量をほとんど増加させることなく、改善することができる。
【０１４１】
＜本実施の形態の変形例＞
本実施の形態において、全てのアンテナにおいてＣＱＩの全ビットを送信するサブキャリアグループ間隔を固定にしたが、本発明はこれに限らず、全てのアンテナのうちの一部または全部においてＣＱＩの全ビットを送信するサブキャリアグループ間隔を可変にしてもよい。
【０１４２】
また、本実施の形態において、全てのアンテナにおいてＣＱＩの全ビットを送信したが、本発明はこれに限らず、特定の１本のアンテナのみにおいてＣＱＩの全ビットを送信するようにしてもよい。例えば、他の情報より良好な通信品質が要求される情報を送信するのが特定の１本のアンテナである場合には、この方法は有効である。
【０１４３】
また、本実施の形態において、アンテナ数を２本にしたが、本発明はこれに限らず、アンテナ数は２本より多い任意の数にすることができる。
【０１４４】
また、本実施の形態において、ＣＱＩの全ビットを送信するサブキャリアグループを、アンテナ毎に独立に設定してもよい。
【０１４５】
（実施の形態７）
図１６は、本発明の実施の形態７に係る送信装置１６００の構成を示すブロック図である。送信装置１６００は、例えば携帯電話等の通信端末装置に適用可能である。
【０１４６】
図１６に示す送信装置１６００は、図１に示す実施の形態１に係る送信装置１００に対して、伝送レート要求用信号判定部１６０１及び制御情報生成部１６０３を追加し、上位ビット送信制御部１０４の代わりに上位ビット送信制御部１６０２を有し、Ｐ／Ｓ変換部１０６の代わりにＰ／Ｓ変換部１６０４を有する。なお、図１６において、図１と同一構成である部分には同一の符号を付してその説明を省略する。また、本実施の形態において、受信装置の構成は図２と同一構成であるので、その説明を省略する。
【０１４７】
伝送レート要求用信号生成部１０２は、回線品質推定部１１１から入力した送信装置１６００の回線状況を示す回線品質の推定結果に応じて、伝送レートを要求するための制御信号であるＣＱＩを生成する。伝送レート要求用信号生成部１０２は、生成したＣＱＩをＳ／Ｐ変換部１０３及び伝送レート要求用信号判定部１６０１に出力する。
【０１４８】
伝送レート要求用信号判定部１６０１は、伝送レート要求用信号生成部１０２から順次入力するＣＱＩを参照する。伝送レート要求用信号判定部１６０１は、参照の結果、前回生成されたＣＱＩの最上位ビットに対して、今回生成されたＣＱＩの最上位ビットの値が変化したか否かを判定する。伝送レート要求用信号判定部１６０１は、ＣＱＩの最上位ビットの値が変化したと判定した場合には、ＣＱＩの上位ビットを送信するように上位ビット送信制御部１６０２に指示する。
【０１４９】
上位ビット送信制御部１６０２は、伝送レート要求用信号判定部１６０１からＣＱＩの上位ビットの送信を指示された場合には、指示された時刻をＣＱＩの上位ビットの送信時刻として決定する。上位ビット送信制御部１６０２は、ＣＱＩの上位ビットの送信を指示された時刻を制御情報生成部１６０３に出力する。上位ビット送信制御部１６０２は、サブキャリアグループを設定した後に、指示された時刻に、ＣＱＩの上位ビットをＰ／Ｓ変換部１６０４に出力する。なお、上位ビット送信制御部１６０２における他の構成及び動作は上記の実施の形態１の上位ビット送信制御部１０４と同様であるので、その説明を省略する。
【０１５０】
制御情報生成部１６０３は、上位ビット送信制御部１６０２から入力した指示された時刻を通知する制御情報を生成する。この際、制御情報は、ＣＱＩの上位ビットの送信有りの場合には「１」を、ＣＱＩの上位ビットの送信無しの場合には「０」を設定する。制御情報生成部１６０３は、生成した制御情報をＰ／Ｓ変換部１６０４に出力する。
【０１５１】
Ｐ／Ｓ変換部１６０４は、上位ビット送信制御部１６０２から並列に入力されるＣＱＩの上位ビット、または、下位ビット送信制御部１０５から並列に入力されるＣＱＩの下位ビットを直列に変換する。Ｐ／Ｓ変換部１６０４は、符号化及び変調部１０１から入力した送信信号と、上位ビット送信制御部１６０２から入力したＣＱＩの上位ビットまたは下位ビット送信制御部１０５から入力したＣＱＩの下位ビットとから成る１系統の信号を生成する。この際、Ｐ／Ｓ変換部１６０４は、制御情報生成部１６０３から制御情報が入力した場合には、制御情報を含む１系統の信号を生成する。Ｐ／Ｓ変換部１６０４は、生成した信号を送信部１０７に出力する。
【０１５２】
＜ＣＱＩの送信方法＞
図１７は、本発明の実施の形態７におけるＣＱＩの送信方法を示す図である。
【０１５３】
図１７より、送信装置１６００は、時刻ｔ１では、ＣＱＩの全ビット「１１１１１」を送信する。一方、送信装置１６００は、時刻ｔ２では、下位２ビット「０１」のみを送信する。送信装置１６００は、時刻ｔ３では、下位３ビット「０００」のみを送信する。送信装置１６００は、時刻ｔ４では、下位３ビット「０１１」のみを送信する。一方、時刻ｔ５では、ＣＱＩの最上位ビットが時刻ｔ１〜ｔ４で送信した「１」から「０」に変化している。従って、送信装置１６００は、時刻ｔ５では、ＣＱＩの全ビットを送信する。
【０１５４】
＜受信装置におけるＣＱＩ生成方法＞
図１７より、受信装置２００は、時刻ｔ１及び時刻ｔ５については、ＣＱＩの全ビットを受信する。一方、受信装置２００は、時刻ｔ２については、下位２ビットのみを受信するものの、伝送レート要求用信号生成部２０３は、受信した下位２ビット「０１」と時刻ｔ１で受信した上位３ビット「１１１」とを用いて、ＣＱＩの全ビット「１１１０１」を生成することができる。また、受信装置２００は、時刻ｔ３については、下位３ビットのみを受信するものの、伝送レート要求用信号生成部２０３は、受信した下位３ビット「０００」と時刻ｔ１で受信した上位２ビット「１１」とを用いて、ＣＱＩの全ビット「１１０００」を生成することができる。受信装置２００は、図３に示す時刻ｔ４については、下位２ビットのみを受信するものの、伝送レート要求用信号生成部２０３は、受信した下位２ビット「１１」と時刻ｔ５で受信する上位３ビット「１００」とを用いて、ＣＱＩの全ビット「１００１１」を生成することができる。
【０１５５】
＜ＣＱＩの最上位ビットが変化した際にＣＱＩの全ビットを送信する理由＞
ＣＱＩを表す複数のビットのうち、最上位ビットは表すことができる値が最も大きい。また、ＣＱＩの最上位ビットが変化する時刻では、ＣＱＩの最上位以外のすべてのビットが変化する可能性が高い。例えば、５ビットからなるＣＱＩにおいて、ＣＱＩが「０１１１１」から１つ値が上がると「１００００」となり、ＣＱＩの最上位ビットが「０」から「１」に変化するとともに、ＣＱＩの最上位ビット以外のすべてのビットが「１１１１」から「００００」に変化する。ＣＱＩが「１００００」から「０１１１１」に変化する場合も同様である。
【０１５６】
ここで、送信装置１６００は、ＣＱＩの上位ビットの送信間隔をＣＱＩの下位ビットの送信間隔よりも長く設定するので、ＣＱＩの上位ビットの送信時刻以外の時刻に生成されるＣＱＩの最上位ビットが、前回生成されたＣＱＩの最上位ビットに対して変化してしまうことがあり得る。つまり、ＣＱＩの最上位ビットが変化する時刻（すなわち、ＣＱＩの最上位ビット以外のすべてのビットが変化し得る時刻）で、ＣＱＩの最上位ビットが送信されないこともあり得る。この場合、受信装置２００は、受信したＣＱＩを、実際のＣＱＩと全く異なる値として特定してしまい、実際に送信装置１６００が要求する伝送レートと異なる伝送レートを選択してしまう。そこで、本実施の形態では、送信装置１６００は、ＣＱＩの最上位ビットが変化する時刻では、ＣＱＩの全ビットを送信する。
【０１５７】
つまり、送信装置１６００は、ＣＱＩの最上位ビットの値が変化する時刻では、ＣＱＩの上位ビットを必ず送信する。これにより、受信装置２００は、ＣＱＩの最上位ビットが変化する時刻では、ＣＱＩの全ビットを受信することができる。つまり、ＣＱＩの最上位ビットが変化する時刻では、受信装置２００は、最新の回線状況を反映したＣＱＩを用いて、適切な伝送レートを確実に選択することができる。
【０１５８】
因みに、本実施の形態では、制御情報を送信する分だけＣＱＩ送信のための情報量が増加する。しかし、送信装置１６００は、ＣＱＩの上位ビットに対してのみ、送信の有無を示す制御情報を送信すればよいので、制御情報に要する情報量は１ビットで済む。よって、送信装置１６００は、制御情報の情報量増加による性能劣化よりも、ＣＱＩの情報量低減効果を大きくすることが可能となる。つまり、本実施の形態では、制御情報の情報量増加による性能劣化の影響は、極めて小さい。
【０１５９】
＜本実施の形態の効果＞
本実施の形態によれば、ＣＱＩの最上位ビットが変化する時刻に、ＣＱＩの全ビットを送信する。これにより、上記の実施の形態１の効果に加えて、受信装置は正確な値のＣＱＩを受信できるため、実際に送信装置が要求する伝送レートと異なる伝送レートを誤って選択してしまうことを防ぐことができる。
【０１６０】
＜全ての実施の形態に共通の変形例＞
上記実施の形態１〜実施の形態７において、複数のサブキャリアから構成されるサブキャリアグループ毎にＣＱＩを生成したが、本発明はこれに限らず、サブキャリア毎にＣＱＩを生成してもよい。
【０１６１】
また、上記実施の形態１〜実施の形態７において、伝送レート要求用信号としてＣＱＩを用いたが、本発明はこれに限らず、ＣＱＩ以外の任意の信号を伝送レート要求用信号として用いることができる。
【産業上の利用可能性】
【０１６２】
本発明にかかる送信装置及び送信方法は、伝送レート要求用信号を用いて伝送レートを要求するのに好適である。
【符号の説明】
【０１６３】
１００  送信装置
１０１  符号化及び変調部
１０２  伝送レート要求用信号生成部
１０３  Ｓ／Ｐ変換部
１０４  上位ビット送信制御部
１０５  下位ビット送信制御部
１０６  Ｐ／Ｓ変換部
１０７  送信部
１０８、１０９  アンテナ
１１０  受信部
１１１  回線品質推定部
【図１】
0005874002.tif 000002
【図２】
0005874002.tif 000003
【図３】
0005874002.tif 000004
【図４】
0005874002.tif 000005
【図５】
0005874002.tif 000006
【図６】
0005874002.tif 000007
【図７】
0005874002.tif 000008
【図８】
0005874002.tif 000009
【図９】
0005874002.tif 000010
【図１０】
0005874002.tif 000011
【図１１】
0005874002.tif 000012
【図１２】
0005874002.tif 000013
【図１３】
0005874002.tif 000014
【図１４】
0005874002.tif 000015
【図１５】
0005874002.tif 000016
【図１６】
0005874002.tif 000017
【図１７】
0005874002.tif 000018